(57)【要約】【課題】燃料濃縮度が高くなっても燃料体収納率を低下させることなく、低コストで臨界安全性を確保することができる燃料体収納ラックを提供する。【解決手段】燃料体を収納する燃料セルを水ギャップを介して多数配列するとともに、これらの水ギャップに中性子吸収板をそれぞれ配置し、水中に設置される燃料体収納ラックにおいて、隣接する燃料セルを構成するセル金属材の外表面間の水ギャップ距離を１８ｍｍ以上、５０ｍｍ以下とし、かつセル金属材の外表面と中性子吸収板の外表面との間隔に形成される水層の幅を７ｍｍ以上とし、セル金属材に含まれる中性子吸収材ボロン（Ｂ）の濃度を所定の値以下になるように抑制する。【選択図】  図１
2005265560.tif 000002
【特許請求の範囲】
【請求項１】
燃料体を収納する燃料セルを水ギャップを介して多数配列するとともに、これらの水ギャップに中性子吸収板をそれぞれ配置して構成され、水中に設置される燃料体収納ラックにおいて、隣接する前記燃料セルを構成するセル金属材の外表面間の水ギャップ距離を１８ｍｍ以上、５０ｍｍ以下とし、かつ前記セル金属材の外表面と前記中性子吸収板の外表面との間隔に形成される水層の幅を７ｍｍ以上とし、前記セル金属材に含まれる中性子吸収材ボロン（Ｂ）の濃度を所定の値以下になるように抑制したことを特徴とする燃料体収納ラック。
【請求項２】
前記セル金属材は、ボロンを添加しないステンレス鋼またはボロンを１重量パーセント以下添加したボロン入りステンレス鋼で構成された請求項１記載の燃料体収納ラック。
【請求項３】
前記セル金属材は、ボロンを添加しないステンレス鋼と、ボロンを１重量パーセント以下添加したボロン入りステンレス鋼との組み合わせ材料で構成された請求項１記載の燃料体収納ラック。
【請求項４】
前記セル金属材の厚さは、３ｍｍ以上かつ８ｍｍ以下である請求項２または請求項３記載の燃料体収納ラック。
【請求項５】
前記中性子吸収板の厚さは、４ｍｍ以上かつ１５ｍｍ以下である請求項１記載の燃料体収納ラック。
【請求項６】
前記中性子吸収板は、炭化硼素粉粒を中空の平板状のステンレス鋼製容器に充填して構成され、充填された前記炭化硼素層の厚さは１．５ｍｍ以上かつ８ｍｍ以下であり、前記容器の一面を構成するステンレス鋼板の厚さは１ｍｍ以上かつ４ｍｍ以下である請求項１記載の燃料体収納ラック。
【請求項７】
前記中性子吸収板は、内直径３ｍｍ以上、外直径１２ｍｍ以下のステンレス鋼管に炭化硼素粉粒を充填して吸収棒とし、多数の吸収棒を対向する２枚の平板状ステンレス鋼の間に配列して構成したものである請求項１記載の燃料体収納ラック。
【請求項８】
前記中性子吸収板は、ボラール板、ボロン入りステンレス鋼板、ＧｄとＢとを添加したステンレス鋼板である請求項１記載の燃料体収納ラック。
【請求項９】
燃料体を収納する燃料セルを水ギャップを介して多数配列するとともに、これらの水ギャップに中性子吸収板をそれぞれ配置して構成され、水中に設置される燃料体収納ラックにおいて、隣接する前記燃料セルを構成するセル金属材の外表面間の水ギャップ距離が１８ｍｍ以上であり、前記水ギャップに前記セル金属材の外表面と前記中性子吸収板外表面との間隔である水層を７ｍｍ以上とするように中性子吸収板を配置することにより、前記中性子吸収板を配置する前に収納可能な燃料体の最高濃縮度を超え、収納可能な燃料体の最高濃縮度を大きくしたことを特徴とする燃料体収納ラック。
【請求項１０】
燃料体を収納する燃料セルを水ギャップを介して多数配列し、前記水ギャップにおける、前記燃料セルを構成する炭化硼素からなるセル金属材の外表面間の距離を、１８ｍｍ以上かつ５０ｍｍ以下とし、この水ギャップの中央位置に、前記セル金属材の外表面との間に７ｍｍ以上の隙間を確保するように中性子吸収板を配置して、前記燃料セルに所定の燃料体を収納する水中体系を対象とする設計方法であって、前記中性子吸収板の条件を設定する工程と、前記セル金属材の厚みと硼素濃度とを仮設定する工程と、実効増倍率を計算し、この値に計算誤差を含めた実効増倍率が制限値を満足するように、ボロン入りステンレス鋼材の外表面間の水ギャップ幅、ステンレス中のボロン濃度、およびボロン入りステンレス板厚を調節する工程とを備え、請求項１ないし請求項８のいずれかに記載の燃料体収納ラックを設計することを特徴とする燃料体収納ラックの設計方法。
【請求項１１】
水中に設置され、燃料体を収納する燃料セルを水ギャップを介して多数配列した燃料体収納ラックを対象とする設計方法であって、隣接する前記燃料セルを構成するセル金属材の外表面間の水ギャップ距離が１８ｍｍ以上である場合に、前記水ギャップの中央に、ボロン入りステンレス鋼材外面との間に７ｍｍ以上を確保するように中性子吸収板を配置し、前記燃料セルに所定の燃料体を収納した水中体系にて実効増倍率を計算し、この計算値に計算誤差を含めた実効増倍率が制限値を満足するように中性子吸収板を調節し、中性子吸収板を配置する前に収納可能な燃料体の最高濃縮度を超え、収納可能な燃料体の最高濃縮度を大きくした請求項９記載の燃料体収納ラックを設計することを特徴とする燃料体収納ラックの設計方法。
【発明の詳細な説明】
【技術分野】
【０００１】
本発明は、原子炉用燃料体を収納する燃料セルを水ギャップを介して多数配列し、水中に設置される燃料体収納ラックおよび燃料体収納ラックの設計方法に関するものである。
【背景技術】
【０００２】
原子力発電所の水プールに設置されている燃料体収納ラックには、原子炉装荷前の新燃料体、原子炉から一時的に取り出された燃料体、および使用済みとなった燃料体が収納される。使用済燃料中間貯蔵施設では、原子炉施設から発送され、再処理施設あるいは永久処分施設へ運ばれる間の使用済燃料体が収納される。そして、使用済燃料再処理施設の水プールに設置される燃料体収納ラックには、搬入されてきて再処理されるまでの間、使用済燃料体が収納される。
【０００３】
これらの収納ラックでは絶対に臨界事故を起こしてはならない（臨界安全性の確保）。このため、古くは燃料体を収納する燃料セル相互間の間隔を十分に確保し、水の中性子遮蔽効果を利用して臨界安全性が確保されていた。原子力発電設備では設備費が高いことから、燃料を貯蔵する水プールの合理化設計方針により、燃料セル相互間の間隔を狭くして燃料体収納率を向上させる必要性が高まっている。
【０００４】
また、原子力発電の経済性向上の要求にしたがって燃料の濃縮度が高められ、臨界になり易くなることから、臨界安全性確保技術が必要視されるようになった。そこで、燃料セルを構成する構造材であるステンレス鋼（ＳＵＳ）などに、硼素（ボロン：Ｂ）などの中性子吸収材を添加したＢ−ＳＵＳ材などが採用されるようになった。すなわち、隣接する燃料セルの間に存在する水で中性子を減速させ、熱中性子となったものを燃料セル構成材に含まれる中性子吸収物質に吸収させる、いわゆる「中性子トラップ」方式が採用されるようになった。
【０００５】
この方式では、構造材に添加できる中性子吸収物質の濃度は限られており、Ｂ−ＳＵＳの場合、Ｂは１重量パーセント（ｗｔ％、以下、単に「％」のみで表示する）を越えると加工性が著しく低下するとともに、機械的な強度も低下するため、１％以下に抑制すべきであることは良く知られている。
【０００６】
ボロンの中で中性子を吸収するのは、天然硼素の中に２０％程度含まれているＢ１０であるため、このＢ１０を濃縮すれば、ボロンの添加率を抑制しても中性子吸収能力は増大させることができるが、著しいコストの増大を招くことになり、商業用プラントに採用することは困難である。
【０００７】
図２３は、沸騰水型原子炉（ＢＷＲ）の燃料貯蔵プール１の水中に設置された燃料体収納ラック２を示し、図２４は、その燃料体収納ラック２を拡大して示している。
【０００８】
これらの図に示すように、燃料体収納ラック２は、仕切板または角管３で構成した多数の燃料セル６を有し、燃料セル６には原子力発電プラントにおいて、原子炉装荷前の新燃料体、原子炉から一時的に取り出された燃料体、および使用済みとなった燃料体が収納される。そして、図２４に示すように、燃料体収納ラック２の下部には台座４が設けられ、燃料体収納ラック２は固定ボルト５により、水張りされた燃料貯蔵プール１の床面に固定される。
【０００９】
原子力発電プラントにおいては一般に、原子炉を一定期間運転後、使用済となった燃料体が炉心から取り出され、当該使用済燃料体は、再処理工場へ搬出されるまでの間、上記のように、原子力発電所内の燃料貯蔵プールで貯蔵され、冷却される。
【００１０】
また、使用済となった燃料体は冷却の後、再処理されるため、輸送用に使用済燃料輸送容器のバスケットに収納され、輸送される。その後、使用済燃料体は再処理されるまで、再処理工場の使用済燃料受入貯蔵施設のプール内に設置された使用済燃料受入貯蔵ラック内に貯蔵される。
【００１１】
この再処理前の使用済燃料受入貯蔵プールおよび使用済燃料受入貯蔵ラックも、図２３に示した原子力発電プラントの燃料貯蔵プールや、燃料体収納ラックとほぼ同一の形態をしている。
【００１２】
なお、図２３には、原子力発電プラントの燃料貯蔵プールや燃料体収納ラックについて、ＢＷＲの例を示しているが、加圧水型原子炉（ＰＷＲ）についても同様である。ＰＷＲの燃料は、ＢＷＲの燃料より大型のため、燃料セル６が大きいことなどに違いはあるが、ＰＷＲ燃料用の燃料体収納ラックも図２４に示した仕切板または角管３で構成した多数の燃料セル６を有するＢＷＲ燃料用の燃料体収納ラック２と同一の形態をしている。
【００１３】
また、使用済ＰＷＲ燃料もＰＷＲブラントの炉心から取り出され、燃料体収納ラックの燃料セルにおいて冷却された後、再処理のため輸送された場合は、再処理前の使用済燃料受入貯蔵プールに受け入れられ、再処理工場の使用済燃料受入貯蔵施設プール中の使用済燃料受入貯蔵ラックに貯蔵されるが、これもＰＷＲプラントの燃料貯蔵プールや燃料体収納ラックとほぼ同一の形態をしている。
【００１４】
図２４に示した燃料体収納ラック２には、燃料セル６の間に水領域がなく、燃料セル６間には燃料セル６を構成する仕切板または角管のみが存在する種類のもの、各燃料セル６を構成する仕切板または角管の間に水領域がある種類のもの、あるいは、それらを組み合わせた燃料体収納ラックがある。
【００１５】
これらの設計については、燃料セル６に収納する燃料体の初期濃縮度、燃料体の寸法により最低限必要となる燃料セル６の大きさ、燃料セル６を構成する仕切板または角管の厚み、仕切板または角管の材料等が考慮される。
【００１６】
また、それら材料中の中性子吸収材の含有の有無、あるいは、中性子可燃性毒物を含有する燃料体である場合にはその反応度低下効果を考慮すること（以下、「ガドリクレジット」という。）の有無、燃料体の燃焼による反応度低化を考慮する場合（以下、「燃焼度クレジット」という。）は、燃焼度クレジットの考慮の仕方や考慮の程度により、更に水の中性子の減速や遮蔽効果も考慮し、燃料体を一定の間隔を保ちながら貯蔵する燃料体収納ラックにおいて想定される、いかなる状況下においても未臨界性を保つことように決定される。
【００１７】
従来では、「中性子トラップ」効果を更に高めるべく、隣接する燃料セルの間に存在する間隙に、水よりも水素密度が大きい含水素物質を配置する案が示されている（特許文献１参照）。しかし、実際には含水素物質を収納する金属材料が必要となり、却って実効的な水素密度の低下を招き、また構造が複雑なため、製造コストの上昇を招くことになる。
【００１８】
さらに従来では、上記間隙に中性子吸収板を配置する案も提案されている（特許文献２参照）。しかし、具体的な検討についての記載はない。実際には、中性子吸収板と燃料セル構造材との間には水が存在し、中性子の複雑な挙動が発生し、期待と反対の現象が起こるような場合も存在することが明らかになっている。したがって、この提案も「中性子トラップ」効果を高めることを実現することができない。
【特許文献１】特開平５−２４９２９０号公報
【特許文献２】実開昭６１−８２２９５号公報
【発明の開示】
【発明が解決しようとする課題】
【００１９】
従来では、燃料体を収納する燃料セルを構成する構造材をステンレス材（ＳＵＳ）またはＳＵＳに硼素（ボロン：Ｂ）などの中性子吸収材を添加したＢ−ＳＵＳ材とし、燃料セル相互間に間隔を持つ燃料体収納ラックにおいては、加工性や機械的な強度の観点から、Ｂ添加率を１％以下に抑制することが困難であった。
【００２０】
また、Ｂ１０を濃縮した高価なＢを使用せず、燃料セル相互間の間隙に中性子吸収板を配置することにより、「中性子トラップ」効果をさらに高め、燃料体収納率を向上させることも困難であった。
【００２１】
さらに、燃料セルを構成する材料に含まれるＢなどの中性子吸収物質の添加量を低減し、製造コストの低減と強度確保を計ることができる燃料体収納ラックの条件が明確でなかった。また、その燃料体収納ラックの設計方法知られておらず、実用化が困難であった。
【００２２】
本発明はこのような課題を解決するためになされたものであり、燃料濃縮度が高くなっても燃料体収納率を低下させることなく、低コストで臨界安全性を確保することができる燃料体収納ラックおよび燃料体収納ラックの設計方法を提供することを目的とする。
【００２３】
より具体的には、上述した特許文献２で提案されている構造を参照しつつ、隣接する燃料セルを構成するセル構造材の中性子吸収物質の濃度および水ギャップに配置する中性子吸収板およびセル金属材と中性子吸収板との中性子の複雑な挙動を解明することによって、従来の課題を解決するものである。
【課題を解決するための手段】
【００２４】
前記の目的を達成するために、請求項１に係る発明では、燃料体を収納する燃料セルを水ギャップを介して多数配列するとともに、これらの水ギャップに中性子吸収板をそれぞれ配置し、水中に設置される燃料体収納ラックにおいて、隣接する前記燃料セルを構成するセル金属材の外表面間の水ギャップ距離を１８ｍｍ以上、５０ｍｍ以下とし、かつ前記セル金属材の外表面と前記中性子吸収板の外表面との間隔に形成される水層の幅を７ｍｍ以上とし、前記セル金属材に含まれる中性子吸収材ボロン（Ｂ）の濃度を所定の値以下になるように抑制したことを特徴とする燃料体収納ラックを提供する。
【００２５】
本発明において、セル金属材の外表面間の水ギャップ距離の下限を１８ｍｍとするのは、このギャップ距離未満では、そのギャップ内に位置して形成される水層が薄くなり、中性子トラップ効果が小さくなるためである。本発明では、水ギャップ距離を１８ｍｍ以上とすることにより、中性子吸収板の両外表面側に形成される各水層をそれぞれ７ｍｍ以上確保できる構成とし、望ましい中性子トラップ効果を得ることができるようにしている。
【００２６】
例えば、セル金属材の厚さ（ｔ）が４ｍｍの場合、中性子吸収板の両外表面側に形成される各水層の和が、７ｍｍ×２＝１４ｍｍとなり、これにセル金属材の厚さ４ｍｍを加えて１８ｍｍとなる。また、水ギャップ距離の上限を５０ｍｍとするのは、構成のコンパクト化を図るためである。このような構成により、コンパクトで、かつ望ましい中性子トラップ効果が得られるようになる。
【００２７】
請求項２に係る発明では、前記セル金属材は、ボロンを添加しないステンレス鋼またはボロンを１重量パーセント以下添加したボロン入りステンレス鋼で構成された請求項１記載の燃料体収納ラックを提供する。
【００２８】
本発明において、ボロン（Ｂ）の添加量を１重量パーセント以下に規定するのは、ステンレス鋼（ＳＵＳ）へのＢ添加量が１重量％を越えると、加工性、強度等において急に問題が多発するためである。なお、ボロンを添加しないステンレス鋼としては、ボラル、Ｇｄ−ＳＵＳ等が考えられる。
【００２９】
請求項３に係る発明では、前記セル金属材は、ボロンを添加しないステンレス鋼と、ボロンを１重量パーセント以下添加したボロン入りステンレス鋼との組み合わせ材料で構成された請求項１記載の燃料体収納ラックを提供する。
【００３０】
請求項４に係る発明では、前記セル金属材の厚さは、３ｍｍ以上かつ８ｍｍ以下である請求項２または請求項３記載の燃料体収納ラックを提供する。
【００３１】
セル金属材の厚さが３ｍｍ未満と薄い場合には十分な強度がえられない。また、過度の厚さに設定するとコンパクト化が測れない。強度的な面からセル金属材の厚さは８ｍｍで十分である。
【００３２】
請求項５に係る発明では、前記中性子吸収板の厚さは、４ｍｍ以上かつ１５ｍｍ以下である請求項１記載の燃料体収納ラックを提供する。
【００３３】
中性子吸収板の厚さが１５ｍｍを超えると、例えば水ギャップが３０ｍｍでＢ添加量が１重量％の時などに設定したような場合には、逆効果となる。また、中性子吸収板の厚さが４ｍｍ未満では、ボロン充填量不足と強度上の問題が発生する。
【００３４】
請求項６に係る発明では、前記中性子吸収板は、炭化硼素（Ｂ４Ｃ）粉粒を中空の平板状のステンレス鋼製容器に充填して構成され、充填された前記炭化硼素層の厚さは１．５ｍｍ以上かつ８ｍｍ以下であり、前記容器の一面を構成するステンレス鋼板の厚さは１ｍｍ以上かつ４ｍｍ以下である請求項１記載の燃料体収納ラックを提供する。
【００３５】
Ｂ４Ｃ厚さを１．５ｍｍ以上かつ８ｍｍ以下に設定することにより、沸騰水型原子炉（ＢＷＲ／ＣＲ）では実効が得られる。なお、Ｂ４Ｃを平板化すると約２ｍｍ厚が適合し、さらに少し薄くても良いことから、前記設定としたものである。なお、Ｂ４Ｃ厚さは、８ｍｍを超えても、反応度抑制効果は２ｍｍの場合から格段に増加するものではない。
【００３６】
なお、ＢＷＲ／ＣＲのシース厚みは、ＢＷＲ／４（旧厚型）で１．４ｍｍであり、新型では１．１ｍｍでスティフナ無しとされる。ＢＷＲ／５薄型では、０．８ｍｍでスティフナが必要であり、４ｍｍを越えて強度を過剰に確保する必要は通常ない。
【００３７】
請求項７に係る発明では、前記中性子吸収板は、内直径３ｍｍ以上、外直径１２ｍｍ以下のステンレス鋼管に炭化硼素（Ｂ４Ｃ）粉粒を充填して吸収棒とし、多数の吸収棒を対向する２枚の平板状ステンレス鋼の間に配列して構成したものである請求項１記載の燃料体収納ラックを提供する。
【００３８】
内直径が３ｍｍ未満では、Ｂ４Ｃ充填が容易でない、ＢＷＲ／ＣＲでは３．５ｍｍが適当である。外直径が１２ｍｍの場合、シースを含めると約１５ｍｍとなる。これを超える場合には、Ｂ４Ｃの過剰使用になる。
【００３９】
請求項８に係る発明では、前記中性子吸収板は、ボラール板、ボロン入りステンレス鋼板、ＧｄとＢとを添加したステンレス鋼板である請求項１記載の燃料体収納ラックを提供する。
【００４０】
請求項９に係る発明では、燃料体を収納する燃料セルを水ギャップを介して多数配列するとともに、これらの水ギャップに中性子吸収板をそれぞれ配置し、水中に設置される燃料体収納ラックにおいて、隣接する前記燃料セルを構成するセル金属材の外表面間の水ギャップ距離が１８ｍｍ以上であり、前記水ギャップに前記セル金属材の外表面と前記中性子吸収板外表面との間隔である水層を７ｍｍ以上とするように中性子吸収板を配置することにより、前記中性子吸収板を配置する前に収納可能な燃料体の最高濃縮度を超え、収納可能な燃料体の最高濃縮度を大きくしたことを特徴とする燃料体収納ラックを提供する。
【００４１】
請求項１０に係る発明では、燃料体を収納する燃料セルを水ギャップを介して多数配列し、前記水ギャップにおける、前記燃料セルを構成する炭化硼素からなるセル金属材の外表面間の距離を、１８ｍｍ以上かつ５０ｍｍ以下とし、この水ギャップの中央位置に、前記セル金属材の外表面との間に７ｍｍ以上の隙間を確保するように中性子吸収板を配置して、前記燃料セルに所定の燃料体を収納する水中体系を対象とする設計方法であって、前記中性子吸収板の条件を設定する工程と、前記セル金属材の厚みと硼素濃度とを仮設定する工程と、実効増倍率を計算し、この値に計算誤差を含めた実効増倍率が制限値を満足するように、ボロン入りステンレス鋼材の外表面間の水ギャップ幅、ステンレス中のボロン濃度、およびボロン入りステンレス板厚を調節する工程とを備え、請求項１ないし請求項８のいずれかに記載の燃料体収納ラックを設計することを特徴とする燃料体収納ラックの設計方法を提供する。
【００４２】
請求項１１に係る発明では、水中に設置され、燃料体を収納する燃料セルを水ギャップを介して多数配列した燃料体収納ラックを対象とする設計方法であって、隣接する前記燃料セルを構成するセル金属材の外表面間の水ギャップ距離が１８ｍｍ以上である場合に、前記水ギャップの中央に、Ｂ−ＳＵＳ材外面との間に７ｍｍ以上を確保するように中性子吸収板を配置し、前記燃料セルに所定の燃料体を収納した水中体系にて実効増倍率を計算し、この計算値に計算誤差を含めた実効増倍率が制限値を満足するように中性子吸収板を調節し、中性子吸収板を配置する前に収納可能な燃料体の最高濃縮度を超え、収納可能な燃料体の最高濃縮度を大きくした請求項９記載の燃料体収納ラックを設計することを特徴とする燃料体収納ラックの設計方法を提供する。
【発明の効果】
【００４３】
本発明に係る燃料体収納ラックによれば、燃料濃縮度が高くなっても、燃料体収納率を低下させることなく、低コストで臨界安全性を確保することができる。また、本発明では、そのような燃料体収納ラックを設計する好適な方法を提供することができる。すなわち、隣接する燃料セルを構成するセル構造材の中性子吸収物質の濃度、水ギャップに配置する中性子吸収板およびセル金属材と中性子吸収板との中性子の複雑な挙動を解明することによって、上述した課題を解決することができる。
【発明を実施するための最良の形態】
【００４４】
以下、本発明に係る燃料体収納ラックおよび燃料体収納ラックの設計方法の実施形態について説明する。本実施形態では、本発明を達成するまでの解析計算の過程を、図面を用いて詳細に説明する。この解析は、燃料セルを構成するＢ−ＳＵＳ管相互間に水ギャップが介在する体系の水ギャップ内に中性子吸収板を配置し、中性子実効増倍率を小さくすることを活用し、燃料体収納ラックの燃料体収納密度の高密度化や低廉化を図るものである。
【００４５】
図１（Ａ）は、解析計算の計算体系を説明するため、燃料体収納ラックの構成を示す断面図である。図１（Ｂ）は、図１（Ａ）の「ｂ」部拡大図である。
【００４６】
これらの図に示すように、本実施形態の燃料体収納ラックは、燃料体を収納する燃料セル６を水ギャップ９を介して多数配列するとともに、これらの水ギャップ９に中性子吸収板８をそれぞれ配置し、水中に設置される。
【００４７】
そして、隣接する燃料セル６を構成するセル金属材の外表面間の水ギャップ距離（幅）Ｈｇが、１８ｍｍ以上、５０ｍｍ以下とされている。
【００４８】
また、セル金属材の外表面と中性子吸収板８の外表面との間隔に形成される水層の幅Ｈｆが７ｍｍ以上とされ、セル金属材に含まれる中性子吸収材ボロン（Ｂ）の濃度は所定の値以下になるように抑制されている。
【００４９】
以下、外形２１４ｍｍ×２１４ｍｍ、濃縮度４．１ｗｔ％のＰＷＲ燃料を例として、燃料セル構造材（Ｂ−ＳＵＳ）の管厚ｔｓ、燃料セル構造材（Ｂ−ＳＵＳ）中のＢ濃度、水ギャップ幅Ｈｇ、中性子吸収板の吸収物質厚ｄａおよび吸収物質被覆厚ｄｃをパラメータとして解析を行う場合について説明する。
【００５０】
中性子吸収板８の中性子吸収物質１０には、安価なＢ４Ｃを採用し、吸収物質被覆８ａには、水プール中の燃料体収納ラックの燃料セル構成材として実績のあるＳＵＳを採用した。
【００５１】
本実施形態で行う計算の第１ステップでは、図１に示す水ギャップ幅Ｈｇを３０ｍｍとし、燃料セル構造材材厚ｔｓを８ｍｍ、６ｍｍおよび４ｍｍとし、それぞれに対してＢ−ＳＵＳ中のＢ濃度を変化させ、実効増倍率を求めた。
【００５２】
なお、この場合において、中性子吸収板８の吸収物質厚ｄは８ｍｍ、吸収物質被覆厚は３．５ｍｍ（すなわち、ＳＵＳ（３．５ｍｍ）−Ｂ４Ｃ（８ｍｍ）−ＳＵＳ（３．５ｍｍ））とし、中性子吸収板厚ｄは１５ｍｍ、中性子吸収板８の外面とＢ−ＳＵＳ外面の水層厚Ｈｆは７．５ｍｍに固定した。
【００５３】
図２（Ａ）は、その解析結果を示したものである。中性子吸収板を水ギャップに挿入していない場合に対し、中性子吸収板を挿入した場合の実効増倍率の減少率（％Δｋ／ｋ）をＢ−ＳＵＳ中のＢ濃度を横軸として示している。
【００５４】
燃料セル構造材（Ｂ−ＳＵＳ）の厚さが４ｍｍの場合には、中性子吸収板で実効増倍率を小さくすることができた。しかし、６ｍｍ厚のときには、Ｂ−ＳＵＳ中のＢ濃度が０．６％以上となり、８ｍｍ厚のときはＢ−ＳＵＳ中のＢ濃度が０．４％以上となり、実効増倍率は逆に大きくなった。
【００５５】
図２（Ａ）によれば、Ｂ−ＳＵＳのＢ濃度が高いと中性子吸収板の効果が小さくなることが示されている。特に、Ｂ−ＳＵＳ厚さを大きくしたときには、Ｂ濃度が１％ではＢ−ＳＵＳの中性子吸収が極めて大きく（中性子に対しｂｌａｃｋ）、「中性子トラップ」効果が水領域の不足により、実効増倍率が逆に大きくなったものと考えられ、水層幅Ｈｆの増加が望ましいと言える。
【００５６】
図２（Ｂ）は、上記の確認を行った結果を示している。すなわち、Ｂ−ＳＵＳの厚さが４ｍｍのときに、中性子吸収板の吸収物質厚を４ｍｍ、吸収物質被覆厚を１．５ｍｍ（ＳＵＳ（１．５）−Ｂ４Ｃ（４）−ＳＵＳ（１．５））とし、水層幅Ｈｆを増加させた場合の解析を行い、Ｂ−ＳＵＳのＢ濃度が高い領域で水層幅の増加が実効増倍率の減少に効果があることを示している。
【００５７】
また、別途行った吸収物質被覆の材料をＳＵＳからＡｌとする解析から、Ａｌを吸収物質被覆の材料とすると、ＳＵＳの場合よりもわずかに実効増倍率が下がることから、上記の変化にはＳＵＳの高速中性子の反射効果も含まれていることが考えられる。
【００５８】
次の第２の計算ステップでは、ＳＵＳ（３．５ｍｍ）−Ｂ４Ｃ（８ｍｍ）−ＳＵＳ（３．５ｍｍ）はそのままとし、Ｂ−ＳＵＳ板の厚みを燃料体収納ラックの稠密化で現実的な４ｍｍとした。
【００５９】
また、水ギャップ幅を３０ｍｍ、４０ｍｍおよび５０ｍｍと変え、それぞれに対してＢ−ＳＵＳ中のＢ濃度を変化させ、実効増倍率を求めた。
【００６０】
図３（Ａ）、（Ｂ）はその結果を示したものである。図３（Ａ）に示すように、水ギャップが広くなると、中性子吸収板の実効増倍率抑制効果が小さくなる傾向がある。Ｂ−ＳＵＳが４ｍｍでは、Ｂ−ＳＵＳはｂｌａｃｋではなく、中性子吸収板の効果が現れる。しかし、Ｇａｐが広いと水で遮蔽され、中性子吸収板の効果が小さくなる。但し、Ｂ−ＳＵＳのＢ濃度が下がると中性子吸収板の効果は大きくなる。
【００６１】
次の第３ステップでは、以上の第１、第２ステップの結果を踏まえ、現実性の高い中性子吸収板に変更した。中性子吸収板の吸収物質厚は４ｍｍとし、吸収物質被覆厚はＢＷＲの制御棒の場合を考えて、１．５ｍｍとした（ＳＵＳ（１．５ｍｍ）−Ｂ４Ｃ（４ｍｍ）−ＳＵＳ（１．５ｍｍ））。
【００６２】
Ｂ−ＳＵＳ板の厚みは、燃料体収納ラックの稠密化で現実的な４ｍｍとした。ギャップ幅３０ｍｍでの結果は図２（Ｂ）に示したように、上記の通りである。
【００６３】
図３（Ｂ）は、ギャップ幅を３０ｍｍ（実線）、４０ｍｍ（点線）および５０ｍｍ（破線）と変化させた場合の結果を示している。この図３（Ｂ）の場合にも、全ての水ギャップ幅で中性子吸収板の効果は大きくなった。
【００６４】
図４は、Ｂ−ＳＵＳ中のＢ濃度１．０％において、吸収物質Ｂ４Ｃ厚が８ｍｍで、吸収物質被覆ＳＵＳ厚を振った場合の中性子吸収板の効果を示している。吸収物質被覆ＳＵＳ厚を薄くすると中性子吸収効果が大きくなる。また、吸収物質被覆ＳＵＳ厚が現実的な１．５ｍｍで、吸収物質Ｂ４Ｃ厚を８から４ｍｍに変更しても、実効増倍率の低減効果に０．５％Δｋ／ｋ程度しか影響を与えないことが確認された。すなわち、中性子吸収板（ＳＵＳ（１．５ｍｍ）−Ｂ４Ｃ（４ｍｍ）−ＳＵＳ（１．５ｍｍ））の妥当性が確認された。
【００６５】
図５は、ギャップ幅３０ｍｍ、ＳＵＳ（３．５ｍｍ）−Ｂ４Ｃ（８ｍｍ）−ＳＵＳ（３．５ｍｍ）中性子吸収板の効果に関する図４（Ａ）の解析結果をＢ−ＳＵＳ厚さ依存性として書き直したものであり、参考に示した。
【００６６】
図６はＢ−ＳＵＳ板の厚みは燃料体収納ラックの稠密化で現実的な４ｍｍとし、現実性の高い中性子吸収板ＳＵＳ（１．５ｍｍ）−Ｂ４Ｃ（４ｍｍ）−ＳＵＳ（１．５ｍｍ）に対し、Ｂ−ＳＵＳ中のＢ濃度をパラメータとし、水ギャップ幅を横軸として、図３（Ｂ）の中性子吸収板の効果を書き直したものである。この図６に示すように、Ｂ−ＳＵＳの全Ｂ濃度範囲、通常の水ギャップの全範囲で、中性子吸収板の効果が得られることが確認された。
【００６７】
以上の第３ステップで、中性子吸収板の反応度効果の検討から、本発明を達成するための条件が明らかになった。以下の説明では、ＳＵＳ（１．５ｍｍ）−Ｂ４Ｃ（４ｍｍ）−ＳＵＳ（１．５ｍｍ）の中性子吸収板がある場合と、無い場合との実効増倍率を直接比較し、中性子吸収板の作用・効果を示す。
【００６８】
図７（Ａ）、（Ｂ）、（Ｃ）は、第１の作用・効果説明図であり、Ｂ−ＳＵＳ板の厚みは燃料体収納ラックの稠密化で現実的な４ｍｍとし、水ギャップ幅３０、４０および５０ｍｍとし、現実性の高い中性子吸収板ＳＵＳ（１．５ｍｍ）−Ｂ４Ｃ（４ｍｍ）−ＳＵＳ（１．５ｍｍ）に対し、Ｂ−ＳＵＳ中Ｂ濃度を横軸に中性子吸収板がある場合とない場合の実効増倍率を示したものである。
【００６９】
この図７（Ａ）、（Ｂ）、（Ｃ）に示すように、実効増倍率の制限値を０．９５とする場合には、水ギャップ３０ｍｍ、４０ｍｍおよび５０ｍｍにおいて、Ｂ−ＳＵＳ中のＢ濃度が１．０％から０．４３％、０．４６％から０．１２％、０．２６％から０．０３％に低減できる。実効増倍率の制限値を０．９８とする場合には、水ギャップ３０ｍｍ、４０ｍｍおよび５０ｍｍにおいて、Ｂ−ＳＵＳ中のＢ濃度が０．６２％から０．１４％まで、０．２９％から０％まで、０．１６％から０％まで低減でき、燃料セル構成材のＢ−ＳＵＳ材料の加工性も含めコスト低減に効果があることが分る。
【００７０】
図８は、第２の作用・効果説明図である。この図８では、実効増倍率の制限値を０．９５と０．９８とし、従来の中性子吸収板がない燃料体収納ラックのＢ−ＳＵＳ材のＢ濃度が中性子吸収板の挿入により、Ｂ濃度がどこまで下げられるかを、水ギャップ幅を横軸として示している。
【００７１】
なお、燃料体が収納された燃料体収納ラック体系の中性子実効増倍率は、例えば、ＳＣＡＬＥ（ＯＲＮＬ−ＲＳＩＣ,’SCALE 4:A Modular Code System for Performing Standardized Computer Analysis for Licensing Evaluation,’ CCC-545,1990）システム等の臨界解析コードと核定数ライブラリーを用いて評価するものである。このＳＣＡＬＥシステム等により、本実施形態における、中性子吸収板を燃料セル間の水ギャップに配置した条件の下で計算を行う。
【００７２】
この条件によれば、中性子吸収板を燃料セル間の水ギャップに配置しない従来の条件に比べ、燃料体が収納された燃料体収納ラック体系の実効増倍率が低下することを利用し、例えば未臨界制限値０．９５を下回る制限条件の下で、燃料セル構成材として高価な中性子吸収材入り材料を不要とすることができる。また、燃料セル構成材Ｂ−ＳＵＳの全部あるいは一部を中性子吸収材を含有しないＳＵＳ材としたり、Ｂ−ＳＵＳ材中のＢ濃度を低下させることができる。したがって、安価で強度を確保した設計を実現することができる。また、燃料セル間の水ギャップを狭くし、更に稠密度を増大させる設計を行うことができる。
【００７３】
次に、本発明に係る燃料体収納ラックの具体的な構成例について、図９〜図１９を参照して説明する。
【００７４】
図９（Ａ）は、燃料セル６の一方向のみに燃料セル６間に水ギャップ９を有する第１構成例としての燃料体収納ラックの一部平面図である。図９（Ｂ）は、同図（Ａ）のＸ−Ｘ線断面図である。
【００７５】
この構成例では、仕切板または角管３が図９（Ａ）に示すように、縦方向に密着配置され、左右方向に間隙が設けられている。この間隙には、長尺のスペーサ（角管保持板）１２が設けられ、それを介して仕切板または角管３が保持されている。
【００７６】
通常、スペーサ１２は少なくとも鉛直方向に上下２ヶ所配置される。
【００７７】
図１０（Ａ）は、燃料セル６の両方向に燃料セル６間に水ギャップ９を有する第２構成例としての燃料体収納ラックの一部平面図である。図１０（Ｂ）は、同図（Ａ）のＹ−Ｙ線断面図である。
【００７８】
この構成例では、図１０（Ａ）に示すように、仕切板または角管３が縦方向および左右方向に交差する間隙が設けられている。そこには長尺のスペーサ１２が設けられ、それを介して燃料セル６が保持されている。
【００７９】
通常、スペーサ１２は少なくとも鉛直方向に上下２ヶ所配置される。中性子吸収板８は、このスペーサ１２の中性子吸収板配置位置７に設けられた中性子吸収板挿入用孔１３を通して挿入され、燃料セル６間の水ギャップ９に配置される。
【００８０】
図１１は、第３構成例としての燃料体収納ラックの縦断面図である。図１２は、図１１のＺ−Ｚ線断面図である。
【００８１】
この構成例では、図１１および図１２に示すように、中性子吸収板が、スペーサ１２の中性子吸収板配置位置７に設けられた中性子吸収板挿入用孔１３を通して挿入され、燃料セル６間の水ギャップ９に配置されている。
【００８２】
燃料セル６間の水ギャップ９中に中性子吸収板８を設置する方法としては、上記のように、仕切板または角管３で構成した多数の燃料セル６がそれらを保持するスペーサ１２に保持されている場合、当該スペーサ１２に中性子吸収板８を通すための中性子吸収体挿入用穴１３を空け、中性子吸収板８を貫通させて設置する。また、中性子吸収板８を燃料体収納ラック２の台座４に載せておく。これにより、本発明の効果が得られる。この場合、中性子吸収板８は、仕切板または角管３に倒れかかることもあり得る。しかし、水ギャップ９に設置した中性子吸収板８が、燃料体が収納された燃料体収納ラックの実効増倍率を、体系の熱中性子の吸収を増加させることにより、低下させる効果は失われない。
【００８３】
なお、縦方向上部に示した燃料体収納ラックには、外枠があるものと、ないものとがある。ここでは、燃料体収納ラックの外枠１４があるものを例示した。
【００８４】
また、本実施形態では、中性子吸収板８を水ギャップ９中の中性子吸収板設置位置７に設置し、燃料体が収納された燃料体収納ラック体系の実効増倍率を、体系の熱中性子の吸収を増加させることにより、低下させる。これにより、燃料セル構成材として高価な中性子吸収材入りＢ−ＳＵＳ材を不要としたり、その全部または一部を中性子吸収材を含有しないＳＵＳ材としたり、Ｂ−ＳＵＳ材中のＢ濃度を低下させることができる。
【００８５】
また、安価で、かつ強度を確保した燃料体収納ラック、あるいは燃料セル６間の水ギャップ９を狭めることができ、更に稠密度を増大させた燃料体収納ラックを提供することができる。
【００８６】
図１２〜図１４には、それぞれ中性子吸収板配置位置７に設置する中性子吸収板８の異なる構成例を示している。
【００８７】
図１３（Ａ）は、第１の例を示す側面図であり、同図（Ｂ）は平面図である。この構成例は、水ギャップ９中の中性子吸収板配置位置７に設置する中性子吸収板８が、特に熱中性子をよく吸収する熱中性子に対する吸収断面積が大きい物質である、中性子吸収物質を含むものである。
【００８８】
具体的な中性子吸収板の例としては、Ｂ４Ｃを収納した板とされている。
【００８９】
図１４（Ａ）は、第２の例を示す側面図であり、同図（Ｂ）は平面図である。この構成例では、中性子吸収板８をケース状とし、内部に中性子吸収材１０が挿入されている。
【００９０】
図１５（Ａ）は、第３の例を示す側面図であり、同図（Ｂ）は平面図である。
【００９１】
この構成例では、中性子吸収板８をケース状とし、Ｂ４Ｃを収納した棒１１を配列したものである。この棒１１には、ボラール板、Ｂ−ＳＵＳ板、ＧｄとＢを添加したＳＵＳ板（Ｂ−Ｇｄ−ＳＵＳ板）などが適切である。
【００９２】
図１６は、本発明を達成するための解析計算により得られた結果の一部を示している。
【００９３】
燃料セル構成材Ｂ−ＳＵＳ板の厚みは、燃料体収納ラックの稠密化で現実的な４ｍｍとし、現実性の高い中性子吸収板ＳＵＳ（１．５ｍｍ）−Ｂ４Ｃ（４ｍｍ）−ＳＵＳ（１．５ｍｍ）に対し、Ｂ−ＳＵＳ材のＢ濃度を１．０％で固定した場合において、中性子吸収板８を挿入した場合の実効増倍率が挿入しない場合の実効増倍率とどの程度水ギャップ９を小さくすると一致するかを評価したものである。
【００９４】
中性子吸収板８を挿入しない場合で水ギャップ９の幅が４５ｍｍの実効増倍率に、中性子吸収板８を挿入した場合には、水ギャップ９の幅が約４０ｍｍの実効増倍率が一致することが分った。水ギャップ幅の減少により、燃料体収納ラックの稠密化が図れることが示された。
【００９５】
図１７は、燃料セル構成材Ｂ−ＳＵＳ板の厚みは燃料体収納ラックの稠密化で現実的な４ｍｍとし、現実性の高い中性子吸収板ＳＵＳ（１．５ｍｍ）−Ｂ４Ｃ（４ｍｍ）−ＳＵＳ（１．５ｍｍ）に対し、水ギャップ幅が４０および５０ｍｍにおいて、中性子吸収板８を挿入しない場合を示している。
【００９６】
すなわち、Ｂ−ＳＵＳ中Ｂ濃度が１％のときの実効増倍率に、中性子吸収板８を挿入した場合の実効増倍率がＢ−ＳＵＳ中のＢ濃度をどの程度小さくすると一致するかを評価したものである。中性子吸収板８を挿入しない場合でＢ濃度１％の実効増倍率に中性子吸収板８を挿入した場合には、両水ギャップ幅ともＢ濃度が約０．６％で実効増倍率が一致することが分った。
【００９７】
本実施形態では、製造コストの低減と強度確保を計ることができる燃料体収納ラックが提供できることが示された。
【００９８】
図１８は燃料セル構成材を、Ｂが含まれないＳＵＳ材とする場合について特に検討したものである。
【００９９】
ＳＵＳ材が６ｍｍの場合において、現実性の高い中性子吸収板ＳＵＳ（１．５ｍｍ）−Ｂ４Ｃ（４ｍｍ）−ＳＵＳ（１．５ｍｍ）に対し、濃縮度３．０％の燃料について、図１の体系で解析を行った。すなわち、中性子吸収板８を挿入した場合の実効増倍率が挿入しない場合の実効増倍率と、どの程度水ギャップ９の幅を小さくすると一致するかを評価したものである。
【０１００】
中性子吸収板８を挿入しない場合で、水ギャップ９の幅が７０ｍｍでの実効増倍率に中性子吸収板８を挿入した場合には、水ギャップ９の幅が約４４ｍｍで実効増倍率が一致することが分った。
【０１０１】
燃料セル構成材をＢの含まないＳＵＳ材とする場合においても、水ギャップ幅の減少により、燃料体収納ラックの稠密化が図れることが示された。なお、燃料の濃縮度を３．０％と比較的低くし、水ギャップ幅を比較的広い７０ｍｍにするもの、燃料セル構成材をＢの含まないＳＵＳ材とする燃料体収納ラックは使用済燃料に対してＧｄクレジットや燃焼度クレジットを採用することによって安価な燃料体収納ラックを狙ったものであり、その反応度低下を濃縮度の低下として考慮する場合等の例として選定したものである。
【０１０２】
なお、以上の通り、本実施形態によれば、隣接する燃料セルを構成するセル構造材の外表面間の距離を５０ｍｍ以下とすることができるので、燃料体の収納率の向上が期待できる。
【０１０３】
セル構造材Ｂ−ＳＵＳの厚みは、３ｍｍより薄いと強度不足とＢ添加量不足の問題を起こしやすく、強度上８ｍｍ程度で十分であり、燃料収納の稠密化から４ｍｍ程度が適切である。
【０１０４】
また、配置する中性子吸収板は単純な構造で安価な硼素を、安価な粉粒状態でも使用できるので、製造コストの抑制が計られる。複雑な中性子挙動を解析した結果、中性子吸収板の厚みは、強度と中性子吸収材量の低減抑制とから４ｍｍ以上とし、中性子吸収板と燃料セル構造材外表面との間の水層の幅はトラップ効果の過剰な低下を防ぐために、７ｍｍ以上を確保するものとした。現実性の高い中性子吸収板は、中性子吸収板の吸収物質厚を４ｍｍとし、吸収物質被覆厚は１．５ｍｍとする、ＳＵＳ（１．５ｍｍ）−Ｂ４Ｃ（４ｍｍ）−ＳＵＳ（１．５ｍｍ）が適切である。
【０１０５】
以上のように、本実施形態によれば、燃料体収納ラックの燃料セルを構成するＢ−ＳＵＳ管相互間に水ギャップが介在する体系の水ギャップ内に中性子吸収板を配置し、中性子実効増倍率を小さくすることを活用することにより、燃料体収納ラックの燃料体収納密度の高密度化や製造コストの低減と強度確保を計ることができる燃料体収納ラックを提供することができる。
【０１０６】
次に、従来の燃料体収納ラックに対し、中性子吸収板を水ギャップに挿入することにより、既存の燃料体収納ラックにおいて、収納可能な燃料体の濃縮度より濃縮度が高い燃料体を燃料体収納ラックに収納しても未臨界性を確保し、収納可能な燃料体の濃縮度の上限を大きくする実施形態について、説明する。すなわち、上述した解析計算に引続き、現実性の高い中性子吸収板ＳＵＳ（１．５ｍｍ）−Ｂ４Ｃ（４ｍｍ）−ＳＵＳ（１．５ｍｍ）を用いる効果を解析した。
【０１０７】
図１の体系で、濃縮度が低い３．０ｗｔ％濃縮のＰＷＲ燃料を例として、燃料セル構造材厚を６ｍｍとし、燃料セル構成材をＢ−ＳＵＳ中のＢ濃度をゼロとしたＳＵＳを適用した。そして、水ギャップ幅を７０ｍｍとし、中性子吸収板を挿入しない従来の燃料体収納ラックの実効増倍率を求めた。
【０１０８】
この例は、水ギャップ幅を比較的広い７０ｍｍにするもの、燃料セル構成材をＢの含まないＳＵＳ材とする該燃料体収納ラックは使用済燃料に対してＧｄクレジットや燃焼度クレジットを採用することによって、安価な燃料体収納ラックを狙ったものである。また、使用済燃料の反応度低下を濃縮度の低下として考慮する場合の例として選んだものである。
【０１０９】
一方、同条件で中性子吸収板ＳＵＳ（１．５ｍｍ）−Ｂ４Ｃ（４ｍｍ）−ＳＵＳ（１．５ｍｍ）を、水ギャップに挿入し、燃料体の濃縮度を上昇させ、中性子吸収板がない場合の実効増倍率と一致する濃縮度を解析したところ、図１９の通りとなった。すなわち、中性子吸収板を挿入することにより、収納可能な最高濃縮度を３．０ｗｔ％から約３．９ｗｔ％に上昇することが示された。
【０１１０】
図９および図１０の構成例１と構成例２において示したように、従来の燃料体収納ラックでは中性子吸収板８が水ギャップ９に入っていない。これに対し、本実施形態では水ギャップ９に中性子吸収板８を挿入することにより、体系の実効増倍率が小さくなり、その余裕を活用することにより、収納可能な燃料体の最高濃縮度を従来より大きくすることが可能となった。
【０１１１】
本発明は、従来の燃料体収納ラックに対し、中性子吸収板を水ギャップに挿入することにより、既存の燃料体収納ラックにおいて収納可能な燃料体の濃縮度より濃縮度が高い燃料体を燃料体収納ラックに収納しても未臨界性を確保することができる。また、収納可能な燃料体の濃縮度の上限を大きくした燃料体収納ラックを提供することができる。
【０１１２】
なお、濃縮度３．０ｗｔ％のＰＷＲ燃料を例に取り、燃料セル構造材厚を６ｍｍ、燃料セル構成材をＢ−ＳＵＳ中のＢ濃度をゼロとしたＳＵＳ、水ギャップ幅を７０ｍｍとした既存の燃料体収納ラックについて例を示したが、図２〜図８および図１６〜図１９で示した濃縮度４．１ｗｔ％の燃料や、最高濃縮度５．０ｗｔ％を収納できる既存の燃料体収納ラックでは本発明の特許請求の範囲の第９項により、収納可能な燃料の最大濃縮度を５．０ｗｔ％以上に上げることが可能となる。
【０１１３】
図２０は、本発明の設計方法の実施形態について、その手順を示すフローチャートである。
【０１１４】
すなわち、本実施形態では、燃料体を収納する燃料セルを水ギャップを介して多数配列し、水ギャップにおける、燃料セルを構成する炭化硼素（Ｂ４Ｃ）からなるセル金属材の外表面間の距離を、１８ｍｍ以上かつ５０ｍｍ以下とし、この水ギャップの中央位置に、セル金属材の外表面との間に７ｍｍ以上の隙間を確保するように中性子吸収板を配置し、燃料セルに所定の燃料体を収納する水中体系を対象とする設計方法である。
【０１１５】
すなわち、収納する燃料体を設定する工程（Ｓ１０１）と、中性子吸収板の条件を設定する工程（Ｓ１０２）と、セル金属材の厚みと硼素濃度とを仮設定する工程（Ｓ１０３）と、実効増倍率を計算する工程（Ｓ１０４）と、この値に計算誤差を含めた実効増倍率が制限値を満足するように、ボロン入りステンレス鋼材の外表面間の水ギャップ幅、ステンレス中のボロン濃度、およびボロン入りステンレス板厚を調節する工程（Ｓ１０５）とを備える。
【０１１６】
具体的には、収納する燃料体の設定の後、先ず、図９または図１０に示した燃料体収納ラックの水ギャップ９に挿入する中性子吸収板８の仕様を計算機に入力して設定する。
【０１１７】
この仕様では、例えば上述したように、中性子吸収板８の吸収物質厚を４ｍｍとし、吸収物質被覆厚を１．５ｍｍとしたＳＵＳ（１．５ｍｍ）−Ｂ４Ｃ（４ｍｍ）−ＳＵＳ（１．５ｍｍ）の中性子吸収板とすることが現実的である。
【０１１８】
次に、収納する燃料体の寸法を基に燃料セルを構成する構成材の大きさを設定し、また、水ギャップの幅を設定する。燃料セル構造材の材料は通常Ｂ−ＳＵＳ材であり、そのＢ−ＳＵＳ中のＢ濃度は１％、厚みは４ｍｍ程度である。水ギャップは稠密な燃料体収納ラックは４０から５０ｍｍ程度である。
【０１１９】
以上の設定した条件で、図１に示した体系で、前述のＳＣＡＬＥシステム等で中性子実効増倍率の計算を行い、図２０に示すように、求めた実効増倍率が未臨界判定値（例えば、０．９５）以下であれば、前記の燃料セルの構成材の材質、寸法、厚さ、水ギャップ幅および中性子吸収板の条件が求める燃料体収納ラックの設計条件となる。
【０１２０】
また、実効増倍率が未臨界判定値を満たさない場合には、燃料セルの構成材の厚さや水ギャップ幅を変更し、実効増倍率が未臨界判定値を満たすようにする。中性子吸収板８の吸収物質厚や吸収物質被覆厚を変えることも可能である。
【０１２１】
また、上記の計算による実効増倍率が未臨界判定値を下回っている場合は、その反応度の余裕を利用し、燃料セル構成材として高価な中性子吸収材入り材料を不要としたり、燃料セル構成材Ｂ−ＳＵＳの全部あるいは一部を中性子吸収材を含有しないＳＵＳ材としたり、Ｂ−ＳＵＳ材中のＢ濃度を低下させたり、あるいは燃料セル間の水ギャップを狭くした条件に変更する。そして、解析計算を行い、未臨界制限値を下回る制限条件の下で、材料強度を確保した上で更に経済性を向上させることや稠密度を増大させる設計を行うことができる。
【０１２２】
ここでの計算においては、設計後の製作を考え、製造公差は実効増倍率を大きく評価するよう保守側に設定する。また、ＳＣＡＬＥシステム等において、モンテカルロ計算コードを用いて計算を行う場合には、計算の統計誤差（σ）の３倍（３σ）を得られた実効増倍率に加え、未臨界判定値と比較する。
【０１２３】
なお、前述の構成例で説明した各種の解析は、燃料セル構造材の中性子吸収物質の濃度、水ギャップに配置する簡単な構造で低廉な中性子吸収板およびセル金属材と中性子吸収板との中性子の複雑な挙動を解明することを目的としたもので、図１の体系に対して実施した各種の計算結果を示した図２から図８、および図１６から図１９の結果には、モンテカルロ計算の統計誤差の３σを含んでいない。
【０１２４】
図２１は、本発明の設計方法の異なる実施形態について、その手順を示すフローチャートである。
【０１２５】
本実施形態の方法は、水中に設置され、燃料体を収納する燃料セルを水ギャップを介して多数配列した燃料体収納ラックを対象とする設計方法である。
【０１２６】
すなわち、隣接する前記燃料セルを構成するセル金属材の外表面間の水ギャップ距離が１８ｍｍ以上である場合に、水ギャップの中央に、Ｂ−ＳＵＳ材外面との間に７ｍｍ以上を確保するように中性子吸収板を配置する。
【０１２７】
そして、燃料体の濃縮度の設定を計算機に入力し（Ｓ２０１）、中性子吸収板の設定をする（Ｓ２０２）。そして、セル金属材の厚みと硼素濃度とを仮設定し（Ｓ２０３）、実効増倍率を計算する（Ｓ２０４）。
【０１２８】
この場合、燃料セルに所定の燃料体を収納した水中体系にて実効増倍率を計算し）、この計算値に計算誤差を含めた実効増倍率が制限値を満足するように中性子吸収板を調節し、中性子吸収板を配置する前に収納可能な燃料体の最高濃縮度を超え、収納可能な燃料体の最高濃縮度を大きくした燃料体収納ラックを設計する。
【０１２９】
すなわち、この実施形態の方法では、先ず、図９および図１０等に示した燃料体収納ラックの水ギャップ９に挿入する中性子吸収板８の仕様を設定する。
【０１３０】
本仕様は、例えば中性子吸収板８の吸収物質厚を４ｍｍとし、吸収物質被覆厚は１．５ｍｍとしたＳＵＳ（１．５ｍｍ）−Ｂ４Ｃ（４ｍｍ）−ＳＵＳ（１．５ｍｍ）中性子吸収板とすることが現実的である。
【０１３１】
次に、既存の燃料体収納ラックに収納される燃料体の仕様のうち、燃料体の濃縮度を現状の上限値をより大きく仮設定し、既存燃料体収納ラックの燃料セル構成材の寸法、材料、中性子吸収材濃度、水ギャップの幅を設定する。
【０１３２】
そして、例えば図１の体系で、前述のＳＣＡＬＥシステム等で中性子実効増倍率の計算を行い、求めた実効増倍率が未臨界判定値（例えば、０．９５）以下となる最大の燃料濃縮度が燃料体収納ラックに中性子吸収板を挿入する場合の、最高濃縮度となるガドリクレジットや燃焼度クレジットを考慮し、実質の初期濃縮度を低く設定する。稠密化ではなく、低コストを図った燃体収納ラックでは、Ｂ−ＳＵＳ中のＢ濃度をゼロとしたり、水ギャップ幅を７０ｍｍ以上とするものがある。
【０１３３】
これが本実施形態における対象とする既存の燃料体収納ラックであるが、Ｂ−ＳＵＳを用い稠密化を図った既存のラックに対も対象とすることができる。また、上記の通り、燃料体収納ラックに中性子吸収板を挿入する場合の最高濃縮度が求まった場合でも、中性子吸収板８の吸収物質厚や吸収物質被覆厚を変え、更に検討することも可能である。
【０１３４】
なお、ここでの計算においては、設計後の製作を考え、製造公差は実効増倍率を大きく評価するよう保守側に設定するとともに、ＳＣＡＬＥシステム等において、モンテカルロ計算コードを用いて計算を行う場合には、計算の統計誤差（σ）の３倍（３σ）を得られた実効増倍率に加え、未臨界判定値と比較する。
【０１３５】
以上の実施形態では、具体例を掲げて詳細に説明したが、燃料セル６間に水ギャップ９が存在する場合には、当該燃料セル６間の水ギャップ９に中性子吸収板８を配置することにより、当該の水プールの水中に設置し、燃料体が収納される燃料体収納ラック体系の実効増倍率が低下する原理は以下の通りである。
【０１３６】
図２２は水プール中の燃料体収納ラックに燃料体を収納した典型的な従来の燃料体収納ラックにおいて、中性子束の計算を行い、燃料セル６中に収納された燃料体の端を原点とし、燃料セル６中の水領域、燃料セル６を構成する仕切板または角管３および燃料セル６間の水ギャップ９を隣の燃料セル６間の中央までを横軸とし、得られた中性子束を所謂、高速中性子束、熱外中性子束および熱中性子束の３群の図式で示したものである。
【０１３７】
なお、この中性子束の計算は、例えば、上記ＳＣＡＬＥシステムの他、ＳＲＡＣ計算コードシステム（奥村他、ＳＲＡＣ９５；汎用核計算コードシステム、ＪＡＥＲＩ−Ｄａｔａ／Ｃｏｄｅ９６−０１５、１９９６年３月）等を用い、燃料、構造材および水等の核定数を算出後、それらを用いて体系の拡散計算等を行い、各領域の中性子束を求めたものである。
【０１３８】
図２２から明らかなように、熱中性子束は燃料セル６を構成する仕切板または角管３の構成材、あるいは構成材に中性子吸収材が含まれる場合は、その中性子吸収材による熱中性子の吸収により、燃料セル６中や仕切板または角管３の構成材では熱中性子は小さく抑えられている。しかし、燃料セル６中の燃料体間の中性子の相互干渉を減少させ、未臨界性を保持させるために設置されている水ギャップ９での熱中性子束レベルは高いことがわかる。
【０１３９】
本発明はこの特性に着目して行ったものであって、水ギャップ９の熱中性子を吸収するため、当該水ギャップ９に中性子吸収板８を配置することにより、水プール中の燃料体収納ラックに燃料体を収納した体系における熱中性子の吸収を多くすることや、それによって燃料セル６中の燃料体間の中性子の相互干渉を減少させ、燃料体収納ラックの実効増倍率を低下させることにより、未臨界性に対する余裕が大きくなり、この余裕を生かすものである。
【０１４０】
そして、燃料セル６を構成する仕切板または角管３の材料である燃料セル構成材として、高価な中性子吸収材入りＢ−ＳＵＳ材の一部または全部を不要としたり、中性子吸収材を含有しないＳＵＳ材としたり、Ｂ−ＳＵＳ材中のＢ中性子吸収材の濃度を低下させ、安価で強度を確保した燃料体収納ラックを、あるいは燃料セル６間の水ギャップ９を狭め、更に稠密度を増大させた燃料体収納ラックを提供することを可能とするものである。
【０１４１】
なお、燃料セル間に水領域が存在する場合、当該燃料セル間の水ギャップに中性子吸収板を設置することにより、燃料体が収納された燃料体収納体系の実効増倍率を、体系の熱中性子の吸収を増加させることにより、低下させる効果は、水中において角柱形状の燃料体を仕切板または角管格子状に形成した多数の燃料セルで構成される燃料体収納装置において一般的に得られる効果である。
【０１４２】
例えば、原子力発電ブラントにおいて、原子炉を一定期間運転後、使用済となって炉心から取り出し、燃料体収納ラックで一定期間の冷却後、再処理工場または中間貯蔵施設への搬出のため、当該使用済燃料体が輸送または輸送・貯蔵される使用済燃料体輸送または輸送・貯蔵容器のバスケットにも適用可能である。
【０１４３】
また、仕切板または角管格子状に形成した多数の燃料セルで構成される当該使用済燃料体輸送または輸送・貯蔵容器のバスケットにおいて、燃料セル間に水ギャップが存在する場合には、中性子吸収板を燃料セル間の水ギャップ中に設置し、使用済燃料体輸送または輸送・貯蔵容器体系の実効増倍率を、体系の熱中性子の吸収を増加させることにより、低下させることができる。
【０１４４】
そして、燃料セル構成材として、高価な中性子吸収材入りＢ−ＳＵＳ材を不要としたり、その全部または一部を中性子吸収材を含有しないＳＵＳ材としたり、Ｂ−ＳＵＳ材中の中性子吸収材の濃度を低下させたり、あるいは燃料セル間の間隔を狭め、安価で強度を確保したバスケットを持つ使用済燃料体輸送または輸送・貯蔵容器を、あるいは、更に稠密度を増大させたバスケットを持つ使用済燃料体輸送または輸送・貯蔵容器が提供できる。
【図面の簡単な説明】
【０１４５】
【図１】（Ａ）は本発明の一実施形態による燃料体収納ラックの解析計算体系を説明するための全体断面図、（Ｂ）は（Ａ）のｂ部分拡大図。
【図２】（Ａ）、（Ｂ）は本発明の一実施形態による中性子吸収板反応度のＢ−ＳＵＳ構造材Ｂ濃度依存性を示す特性図。
【図３】（Ａ）、（Ｂ）は本発明の一実施形態による中性子吸収板反応度のＢ−ＳＵＳ構造材Ｂ濃度依存性を示す特性図。
【図４】本発明の一実施形態による中性子吸収板反応度の吸収物質被覆ＳＵＳ厚さ依存性を示す特性図。
【図５】本発明の一実施形態による中性子吸収板反応度のＢ−ＳＵＳ構造材厚さ依存性を示す特性図。
【図６】本発明の一実施形態による中性子吸収板反応度の水ギャップ幅依存性を示す特性図。
【図７】（Ａ）、（Ｂ）、（Ｃ）は本発明の一実施形態による作用効果を示す説明図。
【図８】本発明の一実施形態による作用効果を示す説明図。
【図９】（Ａ）は本発明の一実施形態による燃料セルの一方向のみに水領域がある燃料体収納ラックを示す横断面図、（Ｂ）は（Ａ）のＸ−Ｘ線断面図。
【図１０】（Ａ）は本発明の一実施形態による燃料セルの両方向に水領域がある燃料体収納ラックを示す横断面図、（Ｂ）は（Ａ）のＹ−Ｙ線断面図。
【図１１】本発明の一実施形態による保持スペーサがある燃料体収納ラックの縦断面図。
【図１２】図１１のＺ−Ｚ線断面図。
【図１３】（Ａ）は本発明の一実施形態による燃料セル間の水領域に配置する中性子吸収体を示す側面図、（Ｂ）は（Ａ）の平面図。
【図１４】（Ａ）は本発明の一実施形態による中性子吸収材を収納するタイプの中性子吸収体を示す側面図、（Ｂ）は（Ａ）の平面図。
【図１５】（Ａ）は本発明の一実施形態による中性子吸収材を収納した棒配列タイプの中性子吸収体を示す側面図、（Ｂ）は（Ａ）の平面図、（Ｃ）は（Ｂ）に示した棒を示す斜視図。
【図１６】本発明の一実施形態による中性子吸収板反応度の水ギャップ幅の低減効果を示す特性図。
【図１７】（Ａ）、（Ｂ）は本発明の一実施形態による中性子吸収板反応度のＢ−ＳＵＳ構造材Ｂ濃度の低減効果を示す特性図。
【図１８】本発明の一実施形態による中性子吸収板反応度の水ギャップ幅の低減効果を示す特性図。
【図１９】本発明の一実施形態による中性子吸収板反応度の燃料最大濃縮度の上昇効果を示す特性図。
【図２０】本発明の一実施形態による燃料体収納ラックの設計方法を示すフローチャート。
【図２１】本発明の他の実施形態による燃料体収納ラックの設計方法を示すフローチャート。
【図２２】本発明における中性子束説明図。
【図２３】燃料プール内における燃料体収納ラックを示す斜視図。
【図２４】従来の燃料体収納ラックを示す拡大斜視図。
【符号の説明】
【０１４６】
１  沸騰水型原子炉燃料プール
２  燃料体収納ラック
３  仕切板または角管
４  台座
５  固定ボルト
６  燃料セル
７  中性子吸収板配置位置
８  中性子吸収板
９  水ギャップ
１０  中性子吸収材
１１  中性子吸収材を収納した棒
１２  スペーサ
１３  中性子吸収板挿入用孔
１４  照射燃料ラックの外枠
Ｈｇ  水ギャップ（９）幅
Ｈｆ  水層幅
Ｗｆ  水フィルム幅
ｔｓ  燃料セル構造材（仕切板または角管３）幅
ｄ  中性子吸収板（８）厚
ｄａ  吸収物質厚
ｄｃ  吸収物質被覆圧
【図１】
2005265560.tif 000003
【図２】
2005265560.tif 000004
【図３】
2005265560.tif 000005
【図４】
2005265560.tif 000006
【図５】
2005265560.tif 000007
【図６】
2005265560.tif 000008
【図７】
2005265560.tif 000009
【図８】
2005265560.tif 000010
【図９】
2005265560.tif 000011
【図１０】
2005265560.tif 000012
【図１１】
2005265560.tif 000013
【図１２】
2005265560.tif 000014
【図１３】
2005265560.tif 000015
【図１４】
2005265560.tif 000016
【図１５】
2005265560.tif 000017
【図１６】
2005265560.tif 000018
【図１７】
2005265560.tif 000019
【図１８】
2005265560.tif 000020
【図１９】
2005265560.tif 000021
【図２０】
2005265560.tif 000022
【図２１】
2005265560.tif 000023
【図２２】
2005265560.tif 000024
【図２３】
2005265560.tif 000025
【図２４】
2005265560.tif 000026